(57)【要約】【課題】印刷情報を処理して得られる印刷結果に対して要求される画質を考慮することなく、印刷情報の印刷順序を決定する構成と比較して、要求される画質を満たす順序で印刷がなされる可能性を高める。【解決手段】印刷管理システムは、印刷情報を処理して得られる印刷結果に対して要求される画質の情報である画質情報を取得する第１の取得手段と、印刷装置における印刷特性を取得する第２の取得手段と、第１の取得手段が複数の印刷情報のそれぞれについて取得した複数の画質情報と、第２の取得手段が取得した印刷特性とにより、印刷装置における複数の印刷情報の印刷順序を決定する決定手段とを備える。【選択図】図３
2019215654.tif 000002
【特許請求の範囲】
【請求項１】
印刷情報を処理して得られる印刷結果に対して要求される画質の情報である画質情報を取得する第１の取得手段と、
印刷装置における印刷特性を取得する第２の取得手段と、
前記第１の取得手段が複数の印刷情報のそれぞれについて取得した複数の画質情報と、前記第２の取得手段が取得した前記印刷特性とにより、前記印刷装置における当該複数の印刷情報の印刷順序を決定する決定手段と
を備える印刷管理システム。
【請求項２】
前記決定手段は、前記印刷特性として、前記印刷装置における印刷性能の時間的変化に関する情報を取得し、取得した情報を基に前記印刷順序を決定すること
を特徴とする請求項１に記載の印刷管理システム。
【請求項３】
前記決定手段は、前記印刷性能の時間的変化に関する情報として、前記印刷装置における画質調整の予定を取得し、取得した画質調整の予定を基に前記印刷順序を決定すること
を特徴とする請求項２に記載の印刷管理システム。
【請求項４】
前記決定手段は、前記画質情報にて要求される画質が予め定められた基準を超える印刷情報については、画質調整の終了後から予め定められた期間が経過する前に印刷されるように、前記印刷順序を決定すること
を特徴とする請求項３に記載の印刷管理システム。
【請求項５】
前記予め定められた期間は、予め定められた枚数の用紙の印刷を実行するのに要する期間であること
を特徴とする請求項４に記載の印刷管理システム。
【請求項６】
前記決定手段は、前記印刷順序において、前記画質情報にて要求される画質が予め定められた基準を超える印刷情報の印刷が、画質調整の終了後から前記予め定められた期間が経過する前に終了しない場合、画質調整の予定の追加が必要である旨の要求を出力すること
を特徴とする請求項４に記載の印刷管理システム。
【請求項７】
前記決定手段は、前記画質情報にて要求される画質が予め定められた基準を超える印刷情報については、当該画質情報にて要求される画質が予め定められた基準以下の印刷情報よりも、画質調整の終了後に優先的に印刷されるように、前記印刷順序を決定すること
を特徴とする請求項３に記載の印刷管理システム。
【請求項８】
前記画質情報にて要求される画質に応じて、前記印刷装置が稼動する予定の空き時間に対して画質調整の予定を追加する画質調整追加手段をさらに備えること
を特徴とする請求項１に記載の印刷管理システム。
【請求項９】
前記画質調整追加手段は、前記画質情報にて要求される画質が予め定められた基準を超える印刷情報の印刷順序が決定される場合に、画質調整の予定がない場合、又は、当該印刷情報の印刷が画質調整の終了後から予め定められた期間が経過する前に終了しない場合、画質調整の予定を追加すること
を特徴とする請求項８に記載の印刷管理システム。
【請求項１０】
前記画質情報にて要求される画質が予め定められた基準を超える印刷情報について、当該印刷情報を処理して得られる印刷結果の画質を検査する検査工程の予定を追加する検査工程追加手段をさらに備え、
前記決定手段は、前記印刷情報の印刷に前記検査工程を含むものとして、前記印刷順序を決定すること
を特徴とする請求項１に記載の印刷管理システム。
【請求項１１】
前記印刷特性は、前記印刷装置における画質調整の予定であり、
前記印刷順序として、前記印刷装置における画質調整の予定の時間帯及び前記複数の印刷情報のそれぞれの印刷予定の時間帯を表示する表示手段をさらに備えること
を特徴とする請求項１に記載の印刷管理システム。
【請求項１２】
前記表示手段は、前記画質情報にて要求される画質が予め定められた基準を超える印刷情報のうち、画質調整の終了後から予め定められた期間が経過する前に印刷が終了しない印刷情報の一覧を示す情報を表示すること
を特徴とする請求項１１に記載の印刷管理システム。
【請求項１３】
前記第１の取得手段が複数の印刷情報のそれぞれについて取得した複数の画質情報と、前記第２の取得手段が複数の印刷装置のそれぞれについて取得した複数の印刷特性とにより、当該複数の印刷情報のそれぞれを当該複数の印刷装置のうちの何れかの印刷装置に割り当てる割当手段をさらに備え、
前記決定手段は、前記複数の印刷装置のそれぞれにおいて、当該印刷装置に割り当てられた印刷情報の印刷順序を決定すること
を特徴とする請求項１に記載の印刷管理システム。
【請求項１４】
印刷情報を処理して得られる印刷結果に対して要求される画質の情報である画質情報を取得する第１の取得手段と、
印刷装置における印刷特性を取得する第２の取得手段と、
前記第１の取得手段が複数の印刷情報のそれぞれについて取得した複数の画質情報と、前記第２の取得手段が取得した前記印刷特性とにより、前記印刷装置における当該複数の印刷情報の印刷順序を出力する出力手段と
を備える印刷管理装置。
【請求項１５】
コンピュータに、
印刷情報を処理して得られる印刷結果に対して要求される画質の情報である画質情報を取得する機能と、
印刷装置における印刷特性を取得する機能と、
複数の印刷情報のそれぞれについて取得された複数の画質情報と、取得された前記印刷特性とにより、前記印刷装置における当該複数の印刷情報の印刷順序を決定する機能と
を実現させるためのプログラム。
【発明の詳細な説明】
【技術分野】
【０００１】
本発明は、印刷管理システム、印刷管理装置及びプログラムに関する。
【背景技術】
【０００２】
例えば、引用文献１には、印刷ジョブを管理するシステムとして、印刷ジョブと印刷デバイスの印刷スケジュールを管理する印刷スケジュール管理手段と、印刷ジョブの印刷状況を確認することができる印刷ジョブ状況確認手段と、印刷ジョブの優先順位を設定させることで印刷ジョブの優先順位つけを行う印刷ジョブ優先順位管理手段と、印刷中に他ジョブの印刷を多連印刷として同時に印刷することができる割り込み印刷手段とを備える印刷ジョブ管理システムが開示されている。
【先行技術文献】
【特許文献】
【０００３】
【特許文献１】特開２００７−８７０４２号公報
【発明の概要】
【発明が解決しようとする課題】
【０００４】
複数の印刷情報について印刷の順序を決定する場合がある。このような場合に、印刷結果に対して要求される画質を考慮することなく印刷順序を決定すると、例えば印刷装置の印刷特性が劣化している状態で印刷されてしまい、要求される画質を満たす印刷結果を提供することができなくなるおそれがある。
本発明の目的は、印刷情報を処理して得られる印刷結果に対して要求される画質を考慮することなく、印刷情報の印刷順序を決定する構成と比較して、要求される画質を満たす順序で印刷がなされる可能性を高めることにある。
【課題を解決するための手段】
【０００５】
請求項１に記載の発明は、印刷情報を処理して得られる印刷結果に対して要求される画質の情報である画質情報を取得する第１の取得手段と、印刷装置における印刷特性を取得する第２の取得手段と、前記第１の取得手段が複数の印刷情報のそれぞれについて取得した複数の画質情報と、前記第２の取得手段が取得した前記印刷特性とにより、前記印刷装置における当該複数の印刷情報の印刷順序を決定する決定手段とを備える印刷管理システムである。
請求項２に記載の発明は、前記決定手段は、前記印刷特性として、前記印刷装置における印刷性能の時間的変化に関する情報を取得し、取得した情報を基に前記印刷順序を決定することを特徴とする請求項１に記載の印刷管理システムである。
請求項３に記載の発明は、前記決定手段は、前記印刷性能の時間的変化に関する情報として、前記印刷装置における画質調整の予定を取得し、取得した画質調整の予定を基に前記印刷順序を決定することを特徴とする請求項２に記載の印刷管理システムである。
請求項４に記載の発明は、前記決定手段は、前記画質情報にて要求される画質が予め定められた基準を超える印刷情報については、画質調整の終了後から予め定められた期間が経過する前に印刷されるように、前記印刷順序を決定することを特徴とする請求項３に記載の印刷管理システムである。
請求項５に記載の発明は、前記予め定められた期間は、予め定められた枚数の用紙の印刷を実行するのに要する期間であることを特徴とする請求項４に記載の印刷管理システムである。
請求項６に記載の発明は、前記決定手段は、前記印刷順序において、前記画質情報にて要求される画質が予め定められた基準を超える印刷情報の印刷が、画質調整の終了後から前記予め定められた期間が経過する前に終了しない場合、画質調整の予定の追加が必要である旨の要求を出力することを特徴とする請求項４に記載の印刷管理システムである。
請求項７に記載の発明は、前記決定手段は、前記画質情報にて要求される画質が予め定められた基準を超える印刷情報については、当該画質情報にて要求される画質が予め定められた基準以下の印刷情報よりも、画質調整の終了後に優先的に印刷されるように、前記印刷順序を決定することを特徴とする請求項３に記載の印刷管理システムである。
請求項８に記載の発明は、前記画質情報にて要求される画質に応じて、前記印刷装置が稼動する予定の空き時間に対して画質調整の予定を追加する画質調整追加手段をさらに備えることを特徴とする請求項１に記載の印刷管理システムである。
請求項９に記載の発明は、前記画質調整追加手段は、前記画質情報にて要求される画質が予め定められた基準を超える印刷情報の印刷順序が決定される場合に、画質調整の予定がない場合、又は、当該印刷情報の印刷が画質調整の終了後から予め定められた期間が経過する前に終了しない場合、画質調整の予定を追加することを特徴とする請求項８に記載の印刷管理システムである。
請求項１０に記載の発明は、前記画質情報にて要求される画質が予め定められた基準を超える印刷情報について、当該印刷情報を処理して得られる印刷結果の画質を検査する検査工程の予定を追加する検査工程追加手段をさらに備え、前記決定手段は、前記印刷情報の印刷に前記検査工程を含むものとして、前記印刷順序を決定することを特徴とする請求項１に記載の印刷管理システムである。
請求項１１に記載の発明は、前記印刷特性は、前記印刷装置における画質調整の予定であり、前記印刷順序として、前記印刷装置における画質調整の予定の時間帯及び前記複数の印刷情報のそれぞれの印刷予定の時間帯を表示する表示手段をさらに備えることを特徴とする請求項１に記載の印刷管理システムである。
請求項１２に記載の発明は、前記表示手段は、前記画質情報にて要求される画質が予め定められた基準を超える印刷情報のうち、画質調整の終了後から予め定められた期間が経過する前に印刷が終了しない印刷情報の一覧を示す情報を表示することを特徴とする請求項１１に記載の印刷管理システムである。
請求項１３に記載の発明は、前記第１の取得手段が複数の印刷情報のそれぞれについて取得した複数の画質情報と、前記第２の取得手段が複数の印刷装置のそれぞれについて取得した複数の印刷特性とにより、当該複数の印刷情報のそれぞれを当該複数の印刷装置のうちの何れかの印刷装置に割り当てる割当手段をさらに備え、前記決定手段は、前記複数の印刷装置のそれぞれにおいて、当該印刷装置に割り当てられた印刷情報の印刷順序を決定することを特徴とする請求項１に記載の印刷管理システムである。
請求項１４に記載の発明は、印刷情報を処理して得られる印刷結果に対して要求される画質の情報である画質情報を取得する第１の取得手段と、印刷装置における印刷特性を取得する第２の取得手段と、前記第１の取得手段が複数の印刷情報のそれぞれについて取得した複数の画質情報と、前記第２の取得手段が取得した前記印刷特性とにより、前記印刷装置における当該複数の印刷情報の印刷順序を出力する出力手段とを備える印刷管理装置である。
請求項１５に記載の発明は、コンピュータに、印刷情報を処理して得られる印刷結果に対して要求される画質の情報である画質情報を取得する機能と、印刷装置における印刷特性を取得する機能と、複数の印刷情報のそれぞれについて取得された複数の画質情報と、取得された前記印刷特性とにより、前記印刷装置における当該複数の印刷情報の印刷順序を決定する機能とを実現させるためのプログラムである。
【発明の効果】
【０００６】
請求項１記載の発明によれば、印刷情報を処理して得られる印刷結果に対して要求される画質を考慮することなく、印刷情報の印刷順序を決定する構成と比較して、要求される画質を満たす順序で印刷がなされる可能性を高めることができる。
請求項２記載の発明によれば、印刷装置における印刷性能の時間的変化を基に、印刷順序を決定することができる。
請求項３記載の発明によれば、印刷装置における画質調整の予定を基に、印刷順序を決定することができる。
請求項４記載の発明によれば、画質調整の終了後の経過時間によらずに印刷順序を決定する構成と比較して、画質情報にて要求される画質が予め定められた基準を超える印刷情報について、要求される画質で印刷される可能性を高めることができる。
請求項５記載の発明によれば、画質情報にて要求される画質が予め定められた基準を超える印刷情報について、より確実に、要求される画質で印刷される可能性を高めることができる。
請求項６記載の発明によれば、画質情報にて要求される画質が予め定められた基準を超える印刷情報の印刷を行うために、画質調整の予定を追加するように操作者に要求することができる。
請求項７記載の発明によれば、画質情報にて要求される画質が予め定められた基準を超える印刷情報が画質調整の終了後に優先的に印刷されるように印刷順序を決定しない構成と比較して、画質情報にて要求される画質が予め定められた基準を超える印刷情報について、要求される画質で印刷される可能性を高めることができる。
請求項８記載の発明によれば、画質情報にて要求される画質に応じて、画質調整の予定を追加することができる。
請求項９記載の発明によれば、画質調整の予定を追加するにあたり、画質情報にて要求される画質が予め定められた基準を超えるか否かを考慮しない構成と比較して、画質情報にて要求される画質が予め定められた基準を超える印刷情報について、要求される画質で印刷される可能性を高めることができる。
請求項１０記載の発明によれば、前記画質情報にて要求される画質が予め定められた基準を超える印刷情報について、印刷結果の画質を検査する検査工程を考慮して印刷順序を決定することができる。
請求項１１記載の発明によれば、画質調整の予定及び複数の印刷情報のそれぞれの印刷予定の順序を操作者に知らせることができる。
請求項１２記載の発明によれば、画質情報にて要求される画質が予め定められた基準を超える印刷情報のうち、画質調整の終了後から予め定められた期間が経過する前に印刷が終了しない印刷情報の一覧を操作者に知らせることができる。
請求項１３記載の発明によれば、印刷情報を処理して得られる印刷結果に対して要求される画質を考慮することなく、印刷情報を複数の印刷装置のうちの何れかの印刷装置に割り当てる構成と比較して、要求される画質で印刷される可能性を高めることができる。
請求項１４記載の発明によれば、印刷情報を処理して得られる印刷結果に対して要求される画質を考慮することなく、印刷情報の印刷順序を決定する構成と比較して、要求される画質を満たす順序で印刷がなされる可能性を高めることができる。
請求項１５記載の発明によれば、印刷情報を処理して得られる印刷結果に対して要求される画質を考慮することなく、印刷情報の印刷順序を決定する構成と比較して、要求される画質を満たす順序で印刷がなされる可能性を高める機能を、コンピュータにより実現できる。
【図面の簡単な説明】
【０００７】
【図１】本実施の形態に係る印刷システムの全体構成例を示した図である。
【図２】本実施の形態に係る印刷管理装置のハードウェア構成例を示す図である。
【図３】本実施の形態に係る印刷管理装置の機能構成例を示したブロック図である。
【図４】印刷順序を決定する処理の手順の一例を示したフローチャートである。
【図５】画質調整の予定の追加を受け付ける画面の一例を示す図である。
【図６】画質調整の予定及び高画質保証時間帯を示す画面の一例を示す図である。
【図７】（Ａ）、（Ｂ）は、印刷装置で印刷する印刷ジョブの一例を示す図である。
【図８】（Ａ）、（Ｂ）は、高画質グループの各印刷ジョブの印刷時間を高画質保証時間帯に割り当てた結果の一例を示す図である。
【図９】（Ａ）、（Ｂ）は、全ての印刷ジョブの印刷時間を稼動時間帯に割り当てた結果の一例を示す図である。
【図１０】未割り当てジョブの一覧画面の一例を示す図である。
【図１１】画質調整の予定を追加する処理の手順の一例を示したフローチャートである。
【図１２−１】（Ａ）、（Ｂ）は、画質調整の予定を追加する処理の一例を説明するための図である。
【図１２−２】（Ｃ）、（Ｄ）は、画質調整の予定を追加する処理の一例を説明するための図である。
【図１２−３】（Ｅ）、（Ｆ）は、画質調整の予定を追加する処理の一例を説明するための図である。
【図１３−１】（Ａ）、（Ｂ）は、画質調整の予定が予め登録されていない場合の処理の一例を説明するための図である。
【図１３−２】（Ｃ）、（Ｄ）は、画質調整の予定が予め登録されていない場合の処理の一例を説明するための図である。
【図１３−３】（Ｅ）、（Ｆ）は、画質調整の予定が予め登録されていない場合の処理の一例を説明するための図である。
【発明を実施するための形態】
【０００８】
以下、添付図面を参照して、本発明の実施の形態について詳細に説明する。
【０００９】
＜印刷システムの全体構成＞
図１は、本実施の形態に係る印刷システム１の全体構成例を示した図である。図示するように、印刷システム１は、印刷管理装置１００と印刷装置２００Ａ〜２００Ｃとを備える。印刷管理装置１００及び印刷装置２００Ａ〜２００Ｃは、ネットワーク３００に接続される。本実施の形態では、印刷管理システム、印刷管理装置の一例として、印刷管理装置１００が用いられる。
【００１０】
なお、図１には、印刷装置２００Ａ〜２００Ｃを示したが、これらを区別する必要がない場合には、単に印刷装置２００と称する。また、図１に示す例では、３つの印刷装置２００を示したが、印刷装置２００の台数は図示の３つには限定されない。
【００１１】
印刷管理装置１００は、印刷装置２００における印刷処理を管理するコンピュータ装置である。印刷管理装置１００としては、例えば、ＰＣ、ワークステーション等が例示される。ここで、印刷管理装置１００は、印刷ジョブを処理して得られる印刷結果に対して要求される画質と、各印刷装置２００の印刷特性とにより、印刷装置２００Ａ〜２００Ｃの中から印刷ジョブの印刷を行う印刷装置２００を決定したり、各印刷装置２００における複数の印刷ジョブの印刷順序を決定したりする。
【００１２】
なお、印刷ジョブとは、印刷対象となる画像データと、印刷処理における設定が記述された制御命令とを含み、印刷装置２００で実行される印刷処理の単位となるデータである。本実施の形態では、印刷情報の一例として、印刷ジョブが用いられる。
また、本実施の形態において、印刷ジョブを処理して得られる印刷結果に対して要求される画質は、画質の高低の度合を示す画質レベルとして表される。この画質レベルは、度合を表すものであればどのようなものでもよく、例えば、「高」、「低」の２段階で表現される。また、例えば、１〜１０の１０段階で表現してもよい。以下では、印刷ジョブを処理して得られる印刷結果に対して要求される画質レベルを、「要求画質レベル」と称する。
【００１３】
さらに説明すると、この要求画質レベルは、例えば、印刷の依頼者が予め設定したり、印刷を担当する作業者が印刷ジョブの内容を確認して設定したりする。また、印刷管理装置１００が、印刷ジョブに含まれる情報を基に要求画質レベルを設定してもよい。この場合、印刷管理装置１００は、例えば、印刷対象の画像データの解像度やデータ量を基に要求画質レベルを設定したり、画像データの種類（例えば、文字であるか写真であるか等）やカラー設定の有無を基に要求画質レベルを設定したりする。また、印刷管理装置１００は、印刷を依頼した依頼者に応じて要求画質レベルを設定してもよい。例えば、定期的に依頼する依頼者の印刷ジョブについては、どの依頼に対しても要求画質レベルが一定になるように設定される。
【００１４】
このようにして設定された要求画質レベルの情報は、例えば、印刷ジョブに付与される。また、要求画質レベルと印刷ジョブとを対応付けて、要求画質レベルの情報を印刷管理装置１００の記憶部等に記憶してもよい。本実施の形態では、画質情報の一例として、要求画質レベルが用いられる。
【００１５】
印刷装置２００は、印刷ジョブを基に、記録媒体の一例としての用紙に画像を形成して印刷を行う装置である。印刷装置２００としては、プリント機能のみを有するものを用いても良いが、プリント機能に加えて、コピー機能、スキャン機能、ファクシミリ機能等の他の画像処理機能を有するものを用いても良い。
【００１６】
ここで、印刷装置２００が印刷することのできる画像の画質は、様々な要因で決められる。例えば、印刷装置２００の機種毎の印刷性能に応じて、印刷することのできる画質は異なる。また、同じ印刷装置２００でも、部品交換の前後で画質が変化したり、長期間の使用や部品の劣化によって画質が悪くなったりする場合がある。一方で、印刷装置２００にて画質調整を行うことで画質が向上したり、劣化した部品を交換することで画質が向上したりする場合もある。また、印刷装置２００が設置されている環境、例えば設置場所の温度や湿度によって、画質が向上したり劣化したりすることも考えられる。
【００１７】
なお、画質調整とは、例えばキャリブレーションと呼ばれる処理であり、用紙等に形成される画像の画質を補正する処理である。より具体的には、例えば、用紙等に形成される画像の画質を標準状態に補正する処理である。また、画質調整は、劣化した部品の交換と同様に、画質を向上させる処理の一例といえる。
【００１８】
このように、印刷装置２００では、印刷装置２００の印刷性能や、印刷性能の時間的変化によって、印刷することのできる画像の画質が決められる。以下では、印刷装置２００にて印刷される画像の画質を決定する印刷装置２００の特性を「印刷特性」と称する。この印刷特性には、印刷装置２００の印刷性能に関する情報、印刷性能の時間的変化に関する情報が含まれる。
【００１９】
ネットワーク３００は、印刷管理装置１００と印刷装置２００との間の情報通信に用いられる通信手段であり、例えば、インターネットや公衆回線、ＬＡＮ（Local Area Network）である。
【００２０】
＜印刷管理装置のハードウェア構成＞
図２は、本実施の形態に係る印刷管理装置１００のハードウェア構成例を示す図である。
図示するように、本実施の形態に係る印刷管理装置１００は、演算手段であるＣＰＵ（Central Processing Unit）１０１と、ＢＩＯＳ（Basic Input Output System）等のプログラムを格納する記憶領域であるＲＯＭ（Read Only Memory）１０２と、プログラムの実行領域であるＲＡＭ（Random Access Memory）１０３とを備える。また、印刷管理装置１００は、ＯＳ（Operating System）やアプリケーション等の各種プログラム、各種プログラムに対する入力データ、各種プログラムからの出力データ等を記憶する記憶領域であるＨＤＤ（Hard Disk Drive）１０４を備える。
【００２１】
さらに、印刷管理装置１００は、外部との通信を行うための通信インタフェース（通信Ｉ／Ｆ）１０５と、ディスプレイ等の表示機構１０６と、キーボードやマウス、タッチパネル等の入力デバイス１０７を備える。
【００２２】
＜印刷管理装置の機能構成＞
次に、本実施の形態に係る印刷管理装置１００の機能構成について説明する。図３は、本実施の形態に係る印刷管理装置１００の機能構成例を示したブロック図である。本実施の形態に係る印刷管理装置１００は、要求画質レベル取得部１１１、印刷特性取得部１１２、印刷装置決定部１１３、納期取得部１１４、印刷時間計算部１１５、印刷順序決定部１１６、表示制御部１１７、操作受付部１１８、検査工程追加部１１９を備える。
【００２３】
第１の取得手段の一例としての要求画質レベル取得部１１１は、印刷ジョブ毎に要求画質レベルを取得する。例えば、要求画質レベルが印刷ジョブに付与されている場合、要求画質レベル取得部１１１は、印刷ジョブから要求画質レベルを取得する。また、例えば、要求画質レベルが印刷ジョブと対応付けて記憶部に記憶されている場合、要求画質レベル取得部１１１は、記憶部から、印刷ジョブに対応する要求画質レベルを取得する。
【００２４】
第２の取得手段の一例としての印刷特性取得部１１２は、印刷装置２００毎に印刷特性を取得する。印刷特性取得部１１２が取得する印刷特性には、印刷装置２００の印刷性能に関する情報として、例えば、印刷装置２００の機種や搭載されている部品、解像度、印刷装置２００にて実行可能な機能の情報などが含まれる。また、印刷特性取得部１１２が取得する印刷特性には、印刷装置２００の印刷性能の時間的変化に関する情報として、例えば、画質調整や部品交換などの画質を向上させる処理の予定や過去の履歴が含まれる。また、例えば、印刷装置２００の設置場所の温度や湿度などの環境に関する情報が含まれる。
【００２５】
割当手段の一例としての印刷装置決定部１１３は、印刷ジョブ毎に、印刷を行う印刷装置２００を決定する。ここで、印刷装置決定部１１３は、要求画質レベル取得部１１１が複数の印刷ジョブのそれぞれについて取得した要求画質レベルと、印刷特性取得部１１２が複数の印刷装置２００のそれぞれについて取得した印刷特性とにより、複数の印刷ジョブのそれぞれを、複数の印刷装置２００のうちの何れかの印刷装置２００に割り当てる。
【００２６】
より具体的には、印刷装置決定部１１３は、印刷ジョブ毎に、要求画質レベルにて要求された画質で印刷することのできる印刷性能を有している印刷装置２００を選択する。ここで、要求画質レベルにて要求された画質で印刷することのできる印刷性能を有している印刷装置２００が複数存在する場合、印刷装置決定部１１３は、複数の印刷装置２００の中から、予め定められた基準に従って何れかの印刷装置２００を選択する。
【００２７】
この予め定められた基準は、例えば、複数の印刷装置２００の中で、割り当て済みの印刷ジョブの数が最も少ない印刷装置２００を選択するものや、割り当て済みの印刷ジョブの印刷に用いられる用紙の合計枚数が最も少ない印刷装置２００を選択するものが例示される。また、例えば、複数の印刷装置２００の中で、最も印刷性能の低い印刷装置２００（即ち、印刷することのできる画質のレベルが最も低い印刷装置２００）を選択してもよい。さらに、例えば、定期的に依頼する依頼者の印刷ジョブについて、印刷ジョブ毎に画質が大きく異なることのないように、同一の印刷装置２００を選択したり、同一機種の印刷装置２００を選択したりしてもよい。
【００２８】
納期取得部１１４は、印刷ジョブにおける印刷の納期の情報を取得する。ここで、納期は、印刷の依頼者によって設定されるのが通常であるが、例えば、印刷管理装置１００の操作者が設定してもよい。また、納期の情報は、要求画質レベルと同様に、印刷ジョブに付与されていてもよいし、印刷ジョブと対応付けて記憶部等に記憶されてもよい。
【００２９】
印刷時間計算部１１５は、印刷ジョブ毎に、印刷に要すると予測される時間（以下、印刷時間と称する）を計算する。ここで、印刷時間計算部１１５は、印刷対象となる画像データと、印刷ジョブで指示された印刷設定とを基に、印刷時間を計算する。より具体的には、例えば、印刷時間計算部１１５は、画像データと印刷設定とを基に、印刷に用いられる用紙の枚数を算出する。そして、算出した枚数から印刷時間を計算する。なお、印刷速度は印刷装置２００の印刷性能に応じて異なる。そこで、印刷時間計算部１１５は、印刷装置２００の印刷速度の情報も用いて印刷時間を計算してもよい。
【００３０】
決定手段、出力手段、画質調整追加手段の一例としての印刷順序決定部１１６は、印刷装置２００毎に、印刷装置２００で印刷ジョブを印刷する順序（以下、印刷順序と称する）を決定する。ここで、印刷順序決定部１１６は、印刷装置２００で印刷することが決定された複数の印刷ジョブのそれぞれについて、要求画質レベルを取得する。そして、印刷順序決定部１１６は、複数の印刷ジョブのそれぞれの要求画質レベルと、印刷特性取得部１１２が取得した印刷装置２００の印刷特性とにより、複数の印刷ジョブの印刷順序を決定する。
【００３１】
より具体的には、印刷順序決定部１１６は、印刷装置２００の印刷特性のうち、印刷装置２００の印刷性能の時間的変化に関する情報から、印刷装置２００の印刷性能が時間的に変化する状況を把握する。そして、印刷順序決定部１１６は、印刷装置２００にて高画質での印刷が保証される時間帯（以下、高画質保証時間帯）を設定する。言い換えると、高画質保証時間帯は、印刷される画像の画質が一定レベル以上であることが保証される時間帯である。
【００３２】
例えば、画質調整や部品交換などの画質を向上させる処理の終了後には、一定レベル以上の画質で印刷可能な状態が予め定められた時間維持される。そこで、印刷順序決定部１１６は、画質調整や部品交換などの画質を向上させる処理が終了する予定の時刻から予め定められた時間を、高画質保証時間帯として設定する。また、印刷順序決定部１１６は、例えば、印刷装置２００の１日の使用傾向や設置場所の環境などを基に、高画質での印刷が行われる時間帯（又は、高画質での印刷が行われる可能性の高い時間帯）を特定して、高画質保証時間帯を設定してもよい。なお、本実施の形態では、画質調整の終了後から予め定められた期間の一例として、高画質保証時間帯が用いられる。
【００３３】
次に、印刷順序決定部１１６は、高画質保証時間帯に対して、要求画質レベルが高い印刷ジョブの印刷予定を優先的に割り当てて、印刷順序を決定する。
ここで、印刷順序決定部１１６は、要求画質レベルに応じて、複数の印刷ジョブを２つのグループに分類する。２つのグループは、高画質保証時間帯に限定して印刷が行われるグループ（以下、高画質グループと称する）と、高画質保証時間帯に限定せずに印刷が行われるグループ（以下、低画質グループと称する）である。高画質グループに分類される印刷ジョブは、要求画質レベルが予め定められた基準を超える印刷ジョブである。一方、低画質グループに分類される印刷ジョブは、要求画質レベルが予め定められた基準以下の印刷ジョブである。そして、印刷順序決定部１１６は、高画質グループに分類される印刷ジョブの印刷予定を、低画質グループに分類される印刷ジョブの印刷予定よりも優先的に、高画質保証時間帯に割り当てる。この印刷予定の割り当てには、例えば、各印刷ジョブにおける印刷の納期や印刷時間などの情報も用いられる。このようにして、複数の印刷ジョブの印刷順序が決定される。
【００３４】
表示手段の一例としての表示制御部１１７は、表示機構１０６等のディスプレイに画面を表示させるためのデータを出力し、ディスプレイの表示を制御する。例えば、表示制御部１１７は、印刷順序決定部１１６が決定した複数の印刷ジョブの印刷順序を表示する。
【００３５】
操作受付部１１８は、操作者の操作を受け付ける。ここで、操作受付部１１８は、例えば、表示機構１０６等のディスプレイに表示される画面上で行われる操作者の操作を受け付ける。より具体的には、例えば、操作受付部１１８は、画質調整の予定を指定する操作を操作者から受け付ける。
【００３６】
検査工程追加手段の一例としての検査工程追加部１１９は、要求画質レベルが予め定められた基準を超える印刷ジョブについて、印刷ジョブを処理して得られる印刷結果の画質を検査する検査工程の予定を追加する。検査工程の予定が追加された場合、印刷時間計算部１１５は、印刷処理に検査工程を含むものとして、印刷時間を計算する。例えば、印刷ジョブの印刷処理に１時間要すると予測される場合、３０分間の検査工程の予定が加算されて、印刷時間は１時間３０分として計算される。
【００３７】
また、要求画質レベルが予め定められた基準を超えるか否かについては、例えば、要求画質レベルが「高」、「低」の２段階で表現される場合、要求画質レベルが「高」であれば予め定められた基準を超えると判断される。また、例えば、要求画質レベルが１〜１０の１０段階で表現される場合、予め定められた基準が「５」と定められる。さらに、高画質グループに分類される印刷ジョブを、要求画質レベルが予め定められた基準を超えるものとして扱ってもよい。
【００３８】
なお、検査工程の内容は、例えば、予定の部数を印刷する前に検査用に１部印刷する手法や、印刷中にサンプルのデータを追加で印刷する手法、印刷された画像の画質をスキャン機能によって検査する手法などが例示される。ここで、検査工程により、印刷された画像の画質が要求画質レベルに達しないと判定された場合、印刷装置２００から警告が出力されて操作者に通知される。また、操作者が印刷装置２００にて画質調整を実行したり、印刷装置２００が印刷ジョブのデータや印刷に係るパラメータ等を修正したりして、改めて印刷が行われる。さらに、印刷装置２００が、この印刷ジョブの印刷を保留して、次の印刷ジョブに進めて印刷を継続することとしてもよい。
【００３９】
そして、印刷管理装置１００を構成する各機能部は、ソフトウェアとハードウェア資源とが協働することにより実現される。具体的には、例えば、印刷管理装置１００を図２に示したハードウェア構成にて実現した場合、ＨＤＤ１０４等に記憶された各種プログラムが、ＲＡＭ１０３に読み込まれてＣＰＵ１０１に実行されることにより、図３に示す要求画質レベル取得部１１１、印刷特性取得部１１２、印刷装置決定部１１３、納期取得部１１４、印刷時間計算部１１５、印刷順序決定部１１６、表示制御部１１７、操作受付部１１８、検査工程追加部１１９等の機能部が実現される。
【００４０】
＜印刷順序を決定する処理の手順＞
次に、印刷順序決定部１１６が印刷順序を決定する処理の手順について説明する。図４は、印刷順序を決定する処理の手順の一例を示したフローチャートである。この例では、印刷装置２００Ａに割り当てられた複数の印刷ジョブの印刷順序を決めるものとして説明する。
【００４１】
なお、印刷順序決定部１１６は、以下に説明する各ステップ（以下、ステップを記号の「Ｓ」と表記する場合がある）の処理を行う前に、複数の印刷ジョブのそれぞれについて、要求画質レベル取得部１１１が取得した要求画質レベル、納期取得部１１４が取得した納期、印刷時間計算部１１５が計算した印刷時間を取得する。ただし、各ステップの処理を行う前に各種の情報を取得する構成に限られるものではなく、例えば、各ステップの処理に必要な情報があれば、その都度必要な情報を取得してもよい。
【００４２】
まず、印刷順序決定部１１６は、印刷装置２００Ａの印刷特性を基に、高画質保証時間帯を設定する（Ｓ１０１）。ここで、印刷順序決定部１１６は、例えば、印刷特性取得部１１２が取得した画質調整や部品交換などの処理の終了予定時刻を基に、高画質保証時間帯を設定する。なお、画質調整の予定や部品交換の予定が複数ある場合には、その予定毎に、高画質保証時間帯が設定される。
【００４３】
次に、印刷順序決定部１１６は、複数の印刷ジョブの要求画質レベルに応じて、複数の印刷ジョブを２つのグループに分類する（Ｓ１０２）。
例えば、要求画質レベルが「高」、「低」の２段階で表現される場合には、要求画質レベル「高」の印刷ジョブは高画質グループに分類され、要求画質レベル「低」の印刷ジョブは低画質グループに分類される。また、例えば、要求画質レベルが１〜１０の１０段階で表現される場合には、要求画質レベル８〜１０の印刷ジョブは高画質グループに分類され、要求画質レベル１〜７の印刷ジョブは低画質グループに分類される。
【００４４】
次に、印刷順序決定部１１６は、印刷ジョブを分類したグループ毎に、印刷ジョブを納期の順番にソートする（Ｓ１０３）。ここで、印刷順序決定部１１６は、印刷ジョブを分類したグループ毎に、納期が早いものから順番に印刷ジョブを並べる。次に、印刷順序決定部１１６は、高画質グループに含まれる印刷ジョブのうち、納期が最も早い印刷ジョブを選択する（Ｓ１０４）。ここで、印刷順序決定部１１６は、すでに選択した印刷ジョブについては除外して、まだ選択していない印刷ジョブの中から納期が最も早い印刷ジョブを選択する。
【００４５】
次に、印刷順序決定部１１６は、Ｓ１０４で選択した印刷ジョブの印刷時間が、納期よりも前に、印刷装置２００Ａの高画質保証時間帯の空き時間に収まるか否かを判定する（Ｓ１０５）。Ｓ１０５で肯定の判断（ＹＥＳ）がされた場合、印刷順序決定部１１６は、Ｓ１０４で選択した印刷ジョブの印刷時間を、高画質保証時間帯の空き時間に割り当てる（Ｓ１０６）。ここで、印刷順序決定部１１６は、高画質保証時間帯の空き時間の中で、印刷時間の収まる最も早い時間帯に印刷時間を割り当てる。
【００４６】
一方、Ｓ１０５で否定の判断（ＮＯ）がされた場合、印刷順序決定部１１６は、Ｓ１０４で選択した印刷ジョブを、未割り当ての印刷ジョブ（以下、未割り当てジョブと称する）として登録する（Ｓ１０７）。
付言すると、未割り当てジョブは、印刷時間が印刷装置２００の稼動時間帯に割り当てられていない印刷ジョブである。印刷装置２００の稼動時間帯とは、印刷装置２００にて印刷を実行可能な時間帯である。稼動時間帯には、高画質保証時間帯と、高画質保証時間帯以外の時間帯が含まれる。高画質グループの場合、未割り当てジョブは、高画質保証時間帯に印刷時間が割り当てられない印刷ジョブである。
【００４７】
次に、印刷順序決定部１１６は、高画質グループの印刷ジョブを全て選択したか否かを判定する（Ｓ１０８）。Ｓ１０８で否定の判断（ＮＯ）がされた場合、Ｓ１０４に移行する。一方、Ｓ１０８で肯定の判断（ＹＥＳ）がされた場合、印刷順序決定部１１６は、低画質グループに含まれる印刷ジョブのうち、納期が最も早い印刷ジョブを選択する（Ｓ１０９）。ここで、印刷順序決定部１１６は、すでに選択した印刷ジョブについては除外して、まだ選択していない印刷ジョブの中から納期が最も早い印刷ジョブを選択する。
【００４８】
次に、印刷順序決定部１１６は、Ｓ１０９で選択した印刷ジョブの印刷時間が、納期よりも前に、印刷装置２００Ａの稼動時間帯の空き時間に収まるか否かを判定する（Ｓ１１０）。Ｓ１１０で肯定の判断（ＹＥＳ）がされた場合、印刷順序決定部１１６は、Ｓ１０９で選択した印刷ジョブの印刷時間を、稼動時間帯の空き時間に割り当てる（Ｓ１１１）。ここで、印刷順序決定部１１６は、稼動時間帯の空き時間の中で、印刷時間の収まる最も早い時間帯に印刷時間を割り当てる。一方、Ｓ１１０で否定の判断（ＮＯ）がされた場合、印刷順序決定部１１６は、Ｓ１０９で選択した印刷ジョブを未割り当てジョブとして登録する（Ｓ１１２）。
【００４９】
次に、印刷順序決定部１１６は、低画質グループの印刷ジョブを全て選択したか否かを判定する（Ｓ１１３）。Ｓ１１３で否定の判断（ＮＯ）がされた場合、Ｓ１０９に移行する。一方、Ｓ１１３で肯定の判断（ＹＥＳ）がされた場合、本処理フローは終了する。
【００５０】
なお、上述した例では、Ｓ１０４において、印刷順序決定部１１６は、納期が最も早い印刷ジョブを選択したが、このような構成に限られない。
例えば、印刷順序決定部１１６は、Ｓ１０４において、要求画質レベルが最も高い印刷ジョブを選択してもよい。即ち、印刷順序決定部１１６は、要求画質レベルが高い印刷ジョブを優先して、高画質保証時間帯に割り当ててもよい。ここで、納期、要求画質レベルは、印刷ジョブの優先度を決める優先度情報の一例として捉えることができる。そして、印刷順序決定部１１６は、印刷ジョブに対応する優先度情報に従って、高画質グループの印刷ジョブの印刷時間を高画質保証時間帯に割り当てるものといえる。
また、例えば、印刷順序決定部１１６は、Ｓ１０４において、納期や要求画質レベルによらず、無作為に印刷ジョブを選択してもよい。
なお、Ｓ１０９の処理も、Ｓ１０４の処理と同様に考えることができる。
【００５１】
＜印刷装置の印刷性能の時間的変化に関する情報の説明＞
次に、印刷装置２００の印刷性能の時間的変化に関する情報について、具体例を挙げて説明する。印刷装置２００の印刷性能の時間的変化に関する情報には、上述したように、例えば、画質調整や部品交換などの画質を向上させる処理の予定が含まれる。ここでは、画質調整の予定を例に挙げて説明する。
【００５２】
図５は、画質調整の予定の追加を受け付ける画面の一例を示す図である。
ここで、「件名」は登録される予定の件名である。「対象期間」は登録対象の期間であり、図示の例では、２０１８年３月１１日〜２０１９年３月１１日である。また、「定期的なスケジュールとして登録する」のチェックボックス１１にチェックが付されていることから、２０１８年３月１１日〜２０１９年３月１１日の期間に、画質調整の予定が定期的に登録される。
【００５３】
「対象日」は登録対象の日であり、「対象時刻」は登録対象の時刻である。また、「所要時間」は登録される画質調整の所要時間である。図示の例では、毎週の月曜日、水曜日、金曜日の８時〜８時１５分に、画質調整の予定が登録される。また、この画面上で、高画質保証時間帯の登録も行われる。図示の例では、画質調整の実施後の５時間３０分の時間帯が、高画質保証時間帯として登録される。付言すると、画質調整の予定に対応する高画質保証時間帯として、５時間３０分の時間が登録される。
【００５４】
次に、図６は、画質調整の予定及び高画質保証時間帯を示す画面の一例を示す図である。操作者が図５のように設定して、「ＯＫ」のボタン１２（図５参照）を選択すると、図６のように、画質調整の予定及び高画質保証時間帯を示す画面が表示される。
例えば、３月１２日（月曜日）、３月１４日（水曜日）、３月１６日（金曜日）の８時〜８時１５分に、画質調整の予定が登録される。また、画質調整の終了予定時刻である８時１５分から５時間３０分の時間帯、即ち、８時１５分〜１３時４５分に、高画質保証時間帯が登録される。
【００５５】
なお、１２時〜１３時の間は印刷装置２００の稼動時間外として予め設定されており、この時間には印刷は実行されない。付言すると、図示の例では、操作者等により、平日の８時〜１２時、１３時〜１８時が稼動時間帯として予め設定されている。
また、図６に示す例では、３月１１日〜３月１７日の週を示しているが、対象期間は２０１８年３月１１日〜２０１９年３月１１日であるため（図５参照）、それ以降の週についても、月曜日、水曜日、金曜日に、画質調整の予定及び高画質保証時間帯が登録される。
【００５６】
また、図５に示す例では、操作者が高画質保証時間帯の所要時間を指定することとしたが、高画質保証時間帯の所要時間を予め設定しておいてもよい。この場合、操作者が画質調整や部品交換などの処理の予定を指定すると、印刷順序決定部１１６が、処理の終了予定時刻から予め定められた所要時間を高画質保証時間帯として設定する。高画質保証時間帯の所要時間は、画質調整や部品交換などの画質を向上させる処理と対応させて設定してもよい。
また、例えば、印刷に用いられた用紙の枚数が閾値に達するまで一定レベル以上の画質を維持できるような場合には、高画質保証時間帯の所要時間を、予め定められた枚数の用紙の印刷を実行するのに要する時間として捉えることができる。また、高画質保証時間帯の所要時間は、印刷装置２００の印刷性能に応じて変わるため、印刷装置２００の印刷性能に関する情報に含まれる。
【００５７】
＜印刷順序を決定する処理の具体例＞
次に、印刷順序を決定する処理について、具体例を挙げて説明する。ここでは、印刷装置２００Ａの印刷順序を決定するものとして説明する。また、各印刷ジョブでは連続して印刷することを前提とし、１つの印刷ジョブを印刷するにあたり、印刷装置２００Ａの稼動時間外を挟んで印刷することはないものとする。なお、以下に示すステップは、図４の各ステップに対応する。
【００５８】
図７（Ａ）、（Ｂ）は、印刷装置２００Ａで印刷する印刷ジョブの一例を示す図である。図７（Ａ）に示すように、この例では、印刷装置２００Ａで印刷する印刷ジョブとして、ジョブＡ〜ジョブＯが存在する。また、要求画質レベルは「高」、「低」の２段階で表現され、要求画質レベル「高」の印刷ジョブは高画質グループに分類され、要求画質レベル「低」の印刷ジョブは低画質グループに分類される。即ち、ジョブＡ、ジョブＣ、ジョブＧ〜Ｉ、ジョブＭという６つの印刷ジョブが高画質グループに分類され、その他の印刷ジョブが低画質グループに分類される。また、各印刷ジョブについて、印刷時間、納期の情報が取得される。
【００５９】
まず、印刷順序決定部１１６は、印刷装置２００Ａの印刷特性を基に、高画質保証時間帯を設定する（Ｓ１０１）。この例では、図６に示すように、画質調整の予定及び高画質保証時間帯が設定されるものとする。次に、印刷順序決定部１１６は、ジョブＡ〜ジョブＯの印刷ジョブを、高画質グループと低画質グループに分類する（Ｓ１０２）。
【００６０】
次に、印刷順序決定部１１６は、各グループについて、印刷ジョブを納期の順番にソートする（Ｓ１０３）。図７（Ｂ）は、印刷順序決定部１１６によるソート結果を示す図である。図７（Ｂ）に示すように、高画質グループでは、ジョブＡ、ジョブＣ、ジョブＧ〜Ｉ、ジョブＭという６つの印刷ジョブが納期の順番にソートされる。また、低画質グループでは、その他の印刷ジョブが納期の順番にソートされる。ここで、ジョブＧとジョブＨのように納期が同じ印刷ジョブは、予め定められた基準に従って、優先する印刷ジョブが決定される。例えば、依頼者から印刷を依頼された日時が早い方が優先される。また、印刷ジョブの重要度に応じて、優先する印刷ジョブを決定してもよい。
【００６１】
次に、印刷順序決定部１１６は、高画質グループの印刷ジョブのうち、納期が早い印刷ジョブから順番に選択して、図６の高画質保証時間帯の空き時間に印刷時間を割り当てる。図８（Ａ）、（Ｂ）は、高画質グループの各印刷ジョブの印刷時間を高画質保証時間帯に割り当てた結果の一例を示す図である。図８（Ａ）は、高画質グループの各印刷ジョブの印刷時間が割り当てられた時間帯を示す図であり、図８（Ｂ）は、高画質グループの各印刷ジョブの割り当て可否の結果の一覧を示す図である。
【００６２】
ここで、印刷順序決定部１１６は、高画質グループの中で、納期が最も早い印刷ジョブであるジョブＡを選択する（Ｓ１０４）。ジョブＡの印刷時間は２時間、納期は３月１２日であり、この時点での３月１２日の高画質保証時間帯の空き時間は８時１５分〜１２時、１３時〜１３時４５分である。よって、納期よりも前に、ジョブＡの印刷時間は高画質保証時間帯の空き時間に収まる（Ｓ１０５でＹＥＳ）。そのため、印刷順序決定部１１６は、ジョブＡの印刷時間を高画質保証時間帯の空き時間に割り当てる（Ｓ１０６）。ここで、印刷順序決定部１１６は、図８（Ａ）に示すように、ジョブＡの印刷時間を、３月１２日の８時１５分〜１０時１５分に割り当てる。
【００６３】
次に、印刷順序決定部１１６は、高画質グループの中で、ジョブＡの次に納期が早い印刷ジョブであるジョブＣを選択する。ジョブＣの印刷時間は、図８（Ａ）に示すように、３月１２日の１０時１５分〜１１時１５分に割り当てられる。
次に、印刷順序決定部１１６は、高画質グループの中で、ジョブＣの次に納期が早い印刷ジョブであるジョブＧを選択する。ジョブＧの印刷時間は２．５時間、納期は３月１４日である。この時点での３月１２日の高画質保証時間帯の空き時間は、１１時１５分〜１２時、１３時〜１３時４５分である。よって、ジョブＧの印刷時間は、３月１２日の高画質保証時間帯に収まらない。しかし、３月１４日の高画質保証時間帯の空き時間は、８時１５分〜１２時、１３時〜１３時４５分である。よって、ジョブＧの印刷時間は、図８（Ａ）に示すように、３月１４日の８時１５分〜１０時４５分に割り当てられる。
【００６４】
次に、印刷順序決定部１１６は、高画質グループの中で、ジョブＧの次に納期が早い印刷ジョブであるジョブＨを選択する。ジョブＨの印刷時間は１．５時間、納期は３月１４日である。この時点での３月１２日の高画質保証時間帯の空き時間は、１１時１５分〜１２時、１３時〜１３時４５分である。また、３月１４日の高画質保証時間帯の空き時間は、１０時４５分〜１２時、１３時〜１３時４５分である。よって、ジョブＨの印刷時間は、納期の３月１４日よりも前に、高画質保証時間帯の空き時間に収まらない（Ｓ１０５でＮＯ）。そこで、印刷順序決定部１１６は、ジョブＨを未割り当てジョブとして登録する（Ｓ１０７）。
【００６５】
このようにして、高画質グループの各印刷ジョブの印刷時間が順番に割り当てられる。そして、図８（Ａ）に示すように、画質調整の予定の時間帯及び複数の印刷ジョブのそれぞれの印刷予定の時間帯を示す画面が表示される。また、図８（Ｂ）に示すように、高画質グループの印刷ジョブの割り当て可否の結果が一覧で表示される。ここで、ジョブＡ、ジョブＣ、ジョブＧ、ジョブＩ、ジョブＭは高画質保証時間帯に割り当てられたため、結果が「ＯＫ」になり、ジョブＨは未割り当てジョブとなったため、結果が「ＮＧ」になる。
【００６６】
なお、ジョブＭの印刷時間が割り当てられた時点で、３月１２日には１１時１５分〜１２時の高画質保証時間帯が空き時間として残っている。ここで、例えば、高画質グループの印刷ジョブとして、納期が３月２０日、印刷時間３０分のジョブＰがある場合、ジョブＰの印刷時間は、３月１２日の１１時１５分〜１１時４５分に割り当てられる。ジョブＰは、ジョブＧ、ジョブＩ、ジョブＭよりも納期が遅い印刷ジョブであるが、ジョブＧ、ジョブＩ、ジョブＭよりも早い時間に割り当てられる。
【００６７】
次に、高画質グループの印刷ジョブが全て割り当てられた後（Ｓ１０８でＹＥＳ）、印刷順序決定部１１６は、低画質グループの印刷ジョブのうち、納期が早い印刷ジョブから順番に選択して、印刷装置２００Ａの稼動時間帯の空き時間に印刷時間を割り当てる。図９（Ａ）、（Ｂ）は、全ての印刷ジョブの印刷時間を稼動時間帯に割り当てた結果の一例を示す図である。図９（Ａ）は、各印刷ジョブの印刷時間が割り当てられた時間帯を示す図であり、図９（Ｂ）は、各印刷ジョブの割り当て可否の結果の一覧を示す図である。
【００６８】
低画質グループの印刷ジョブの割り当ても、高画質グループの印刷ジョブの割り当てと同様に行われる。ただし、高画質グループの印刷ジョブの割り当ては、高画質保証時間帯の空き時間に対して行われるが、低画質グループの印刷ジョブの割り当ては、高画質保証時間帯を含む稼動時間帯の空き時間に対して行われる。
【００６９】
ここで、印刷順序決定部１１６は、低画質グループの中で、納期が最も早い印刷ジョブであるジョブＢを選択する（Ｓ１０９）。ジョブＢの印刷時間は１時間、納期は３月１２日であり、この時点での３月１２日の稼動時間帯の空き時間は、１１時１５分〜１２時、１３時〜１８時である。よって、納期よりも前に、ジョブＢの印刷時間は稼動時間帯の空き時間に収まるため（Ｓ１１０でＹＥＳ）、印刷順序決定部１１６は、ジョブＢの印刷時間を３月１２日の１３時〜１４時に割り当てる。
同様にして、それ以降の印刷ジョブの印刷時間も、印刷装置２００Ａの稼動時間帯に割り当てられる。
【００７０】
このようにして、低画質グループの印刷ジョブを含めて、全ての印刷ジョブの印刷時間が順番に割り当てられる。そして、図９（Ａ）に示すように、画質調整の予定の時間帯及び複数の印刷ジョブのそれぞれの印刷予定の時間帯を示す画面が表示される。また、図９（Ｂ）に示すように、各印刷ジョブの割り当て可否の結果が一覧で表示される。ここで、ジョブＨを除く印刷ジョブは、印刷装置２００Ａの稼動時間帯に割り当てられたため、結果が「ＯＫ」になり、ジョブＨのみ、結果が「ＮＧ」になる。
【００７１】
また、表示制御部１１７は、未割り当てジョブの一覧を示す画面を表示してもよい。図１０は、未割り当てジョブの一覧画面の一例を示す図である。図１０に示す例では、未割り当てジョブとして、ジョブＨ、ジョブＸ、ジョブＹという３つの印刷ジョブが登録されている。例えば、操作者は、未割り当てジョブの一覧画面上で未割り当てジョブを選択することにより、手動で、印刷装置２００の稼動時間帯に、選択した未割り当てジョブの印刷時間を割り当てる。また、高画質グループの未割り当てジョブと低画質グループの未割り当てジョブとを分類して表示したり、別々の画面に表示したりしてもよい。
【００７２】
さらに、未割り当てジョブは、印刷順序決定部１１６が印刷順序を決定する際に、未割り当てになった印刷ジョブに限られるものではない。例えば、印刷を実際に行うかまだ決まっていない印刷ジョブや、印刷を行う時期が未定の印刷ジョブを、未割り当てジョブとして登録してもよい。
【００７３】
＜画質を向上させる処理の予定の追加＞
次に、画質調整や部品交換などの画質を向上させる処理の予定を追加する場合について説明する。印刷順序決定部１１６は、高画質グループに分類される印刷ジョブのうち、印刷時間が高画質保証時間帯に割り当てられていない未割り当てジョブが存在する場合に、画質を向上させる処理の予定を追加してもよい。画質を向上させる処理の予定を追加することにより、高画質保証時間帯が新たに設定される。そして、印刷順序決定部１１６は、高画質グループの未割り当てジョブの印刷時間を、新たに設定された高画質保証時間帯に割り当てる。ここでは、画質を向上させる処理の予定として、画質調整の予定を例に挙げて説明する。
【００７４】
図１１は、画質調整の予定を追加する処理の手順の一例を示したフローチャートである。この例では、図４の場合と同様に、印刷装置２００Ａに割り当てられた複数の印刷ジョブの印刷順序を決めるものとして説明する。
【００７５】
Ｓ２０１〜Ｓ２０６の処理は、図４のＳ１０１〜Ｓ１０６の処理と同様であるため、ここでは説明を省略する。
Ｓ２０５で否定の判断（ＮＯ）がされた場合、即ち、Ｓ２０４で選択した印刷ジョブの印刷時間が、納期よりも前に、印刷装置２００Ａの高画質保証時間帯の空き時間に収まらないと判定された場合、Ｓ２０７の処理が行われる。
【００７６】
Ｓ２０７において、印刷順序決定部１１６は、Ｓ２０４で選択した印刷ジョブについて、印刷装置２００Ａの稼動時間帯の空き時間のうち、納期よりも前の時間に、「画質調整の時間＋印刷時間（即ち、Ｓ２０４で選択した印刷ジョブの印刷時間）」以上の空き時間が存在するか否かを判定する（Ｓ２０７）。
Ｓ２０７で肯定の判断（ＹＥＳ）がされた場合、印刷順序決定部１１６は、「画質調整の時間＋印刷時間」の空き時間を抽出して、抽出した空き時間に対して、画質調整の予定と、Ｓ２０４で選択した印刷ジョブの印刷時間とを割り当てる（Ｓ２０８）。なお、印刷順序決定部１１６は、画質調整の予定を追加することにより、高画質保証時間帯を新たに設定する。
【００７７】
一方、Ｓ２０７で否定の判断（ＮＯ）がされた場合、印刷順序決定部１１６は、Ｓ２０４で選択した印刷ジョブを、未割り当てジョブとして登録する（Ｓ２０９）。
次のＳ２１０〜Ｓ２１５の処理は、図４のＳ１０８〜Ｓ１１３の処理と同様であるため、ここでは説明を省略する。そして、本処理フローは終了する。
【００７８】
なお、Ｓ２０８において、印刷順序決定部１１６は、印刷装置２００Ａの稼動時間帯の空き時間のうち、納期より前の「画質調整の時間＋印刷時間」の空き時間を抽出するが、納期より前の空き時間であればどの空き時間を抽出してもよい。
ただし、納期の早い印刷ジョブから優先的に印刷する場合、印刷順序決定部１１６は、Ｓ２０４で選択した印刷ジョブの１つ前に割り当てられた印刷ジョブの印刷時間以降の空き時間から、「画質調整の時間＋印刷時間」の空き時間を抽出する。ここで、「画質調整の時間＋印刷時間」以上の空き時間がなければ、印刷順序決定部１１６は、Ｓ２０４で選択した印刷ジョブの１つ前に割り当てられた印刷ジョブの印刷時間より前の空き時間から、「画質調整の時間＋印刷時間」を抽出する。
【００７９】
また、印刷順序決定部１１６は、高画質グループに分類される印刷ジョブのうち、印刷時間が高画質保証時間帯に割り当てられていない未割り当てジョブが存在する場合、画質調整の予定の追加が必要である旨の要求を出力してもよい。例えば、印刷順序決定部１１６は、画質調整の予定の追加が必要である旨の要求を示す画面を表示したり、画質調整の予定の追加が必要である旨の要求をメールで操作者に通知したりする。
【００８０】
＜画質調整の予定を追加する処理の具体例＞
次に、画質調整の予定を追加する処理について、具体例を挙げて説明する。ここでは、印刷装置２００Ａの印刷順序として、図７（Ａ）、（Ｂ）に示すジョブＡ〜ジョブＯの印刷順序を決定する場合に、画質調整の予定を追加するものとして説明する。なお、画質調整の時間は１５分として予め設定されている。
【００８１】
図１２−１〜図１２−３は、画質調整の予定を追加する処理の一例を説明するための図である。まず、図１２−１（Ａ）に示すように、図８（Ａ）の例と同様にして、ジョブＡ、ジョブＣ、ジョブＧの印刷時間が順番に割り当てられる。次に、図８（Ａ）の例では、ジョブＨが未割り当てジョブとして登録された。一方、この例では、印刷順序決定部１１６は、ジョブＨについて、印刷装置２００Ａの稼動時間帯の空き時間のうち、納期よりも前の時間に、「画質調整の時間＋印刷時間（即ち、ジョブＨの印刷時間）」以上の空き時間が存在するか否かを判定する。
【００８２】
ここで、画質調整の時間は１５分であり、ジョブＨの印刷時間は１時間３０分である。また、ジョブＨの納期は３月１４日である。そのため、印刷順序決定部１１６は、３月１４日以前に、１時間４５分以上の空き時間が存在するか否かを判定する。ここで、納期の早い印刷ジョブから優先的に印刷するために、ジョブＨの１つ前に割り当てられたジョブＧの印刷時間以降の空き時間を検索すると、この時点で、３月１４日の空き時間は１０時４５分〜１２時、１３時〜１８時である。そこで、印刷順序決定部１１６は、１３時からの１時間４５分を抽出して、画質調整の予定とジョブＨの印刷時間とを割り当てる。
【００８３】
１３時〜１３時１５分に画質調整の予定が追加されることにより、１３時１５分から５時間３０分間（即ち、１３時１５分〜１８時４５分）が高画質保証時間帯になる。ただし、印刷装置２００Ａの稼動時間帯は１８時までのため、ここでは、１３時１５分〜１８時が高画質保証時間帯として設定される。また、印刷順序決定部１１６は、ジョブＨの印刷時間を、１３時１５分〜１４時４５分に割り当てる。また、図１２−１（Ｂ）のように、ジョブＨの結果が「ＯＫ」になる。
【００８４】
次に、印刷順序決定部１１６は、高画質グループの中で、ジョブＨの次に納期が早い印刷ジョブであるジョブＩを選択する。ジョブＩの印刷時間は、図１２−２（Ｃ）に示すように、図８（Ａ）の例と同様の時間帯に割り当てられる。
次に、印刷順序決定部１１６は、高画質グループの中で、ジョブＩの次に納期が早い印刷ジョブであるジョブＭを選択する。ジョブＭの印刷時間は３時間、納期は３月１６日である。ここで、図８（Ａ）の例では、ジョブＭは３月１６日に割り当てられた。一方、この例では、３月１４日の１４時４５分〜１８時の高画質保証時間帯が空き時間として残っている。よって、印刷順序決定部１１６は、図１２−２（Ｃ）に示すように、１４時４５分〜１７時４５分にジョブＭの印刷時間を割り当てる。
このようにして、ジョブＨを含めて、高画質グループの全ての印刷ジョブが高画質保証時間帯に割り当てられたため、図１２−２（Ｄ）に示すように、結果が「ＯＫ」になる。
【００８５】
次に、印刷順序決定部１１６は、低画質グループの印刷ジョブの印刷時間を割り当てる。その結果、図１２−３（Ｅ）に示すように、低画質グループの全ての印刷ジョブが、印刷装置２００Ａの稼動時間帯に割り当てられる。よって、図１２−３（Ｆ）に示すように、ジョブＡ〜ジョブＯの結果が「ＯＫ」になる。
【００８６】
なお、上述した例では、印刷順序決定部１１６は、ジョブＨの印刷時間を割り当てる順番になった時点で、画質調整の予定を追加したが、このような構成には限られない。例えば、印刷順序決定部１１６は、ジョブＨの印刷時間の割り当てを保留し、高画質グループの残りの印刷ジョブ（即ち、ジョブＩ、ジョブＭ）の印刷時間を割り当てた後に、画質調整の予定を追加してジョブＨの印刷時間を割り当ててもよい。また、例えば、印刷順序決定部１１６は、ジョブＨの印刷時間の割り当てを保留し、全ての印刷ジョブ（即ち、ジョブＡ〜ジョブＯ）の印刷時間を割り当てた後に、画質調整の予定を追加してジョブＨの印刷時間を割り当ててもよい。
【００８７】
＜画質を向上させる処理の予定が予め登録されていない場合の説明＞
次に、画質を向上させる処理の予定が予め登録されていない場合について説明する。本実施の形態では、画質を向上させる処理の予定が操作者によって予め登録されていない場合であっても、図１１に示す処理を行うことにより、画質を向上させる処理の予定を追加して、高画質グループの印刷ジョブの印刷時間を割り当ててもよい。なお、この場合には、Ｓ２０１の高画質保証時間帯を設定する処理は行われない。
【００８８】
また、図１１に示す処理では、高画質グループの印刷ジョブを先にまとめて処理するため、低画質グループの印刷ジョブよりも先に高画質グループの印刷ジョブが印刷され易くなる。その結果、低画質グループでは、納期に収まらない印刷ジョブが発生する可能性が高くなる。そこで、画質レベルによらずに、納期に応じて印刷ジョブをまとめて処理する例を説明する。ここでは、図７（Ａ）、（Ｂ）に示すジョブＡ〜ジョブＯの印刷順序を決定するものとする。また、画質を向上させる処理の予定として、画質調整の予定を例に挙げて説明する。
【００８９】
この例では、印刷ジョブを分類するための期間（以下、分類期間と称する）が設定される。この分類期間は、例えば、２日間などの日数で設定してもよいし、月曜日〜水曜日、水曜日〜土曜日等のように曜日で設定してもよい。また、この分類期間は、操作者が指定してもよいし、デフォルト（初期値）で設定されていてもよい。
【００９０】
印刷順序決定部１１６は、印刷ジョブの納期を基に、印刷ジョブを分類期間毎に分類する。例えば、分類期間が２日間の場合、図７（Ａ）に示す例では、納期が３月１２日又は３月１３日の印刷ジョブ、納期が３月１４日又は３月１５日の印刷ジョブ、納期が３月１６日又は３月１９日の印刷ジョブに分類される。具体的には、ジョブＡ〜ジョブＥ（即ち、納期が３月１２日又は３月１３日の印刷ジョブ）、ジョブＦ〜ジョブＫ（即ち、納期が３月１４日又は３月１５日の印刷ジョブ）、ジョブＬ〜ジョブＯ（即ち、納期が３月１６日又は３月１９日の印刷ジョブ）に分類される。
【００９１】
そして、印刷順序決定部１１６は、分類した印刷ジョブに対して、図１１のＳ２０２〜Ｓ２１５の処理を実行する。図１３−１〜図１３−３は、画質調整の予定が予め登録されていない場合の処理の一例を説明するための図である。
【００９２】
まず、印刷順序決定部１１６は、ジョブＡ〜ジョブＥ（即ち、納期が３月１２日又は３月１３日の印刷ジョブ）に対して、図１１のＳ２０２〜Ｓ２１５の処理を実行する。ここで、印刷順序決定部１１６は、図１３−１（Ａ）に示すように、３月１２日の８時〜８時１５分に画質調整の予定を追加する。また、８時１５分〜１３時４５分に高画質保証時間帯を設定する。そして、印刷順序決定部１１６は、高画質グループのジョブＡ、ジョブＣの印刷時間を割り当てて、次に、低画質グループのジョブＢ、ジョブＤ、ジョブＥの印刷時間を割り当てる。そして、図１３−１（Ｂ）に示すように、ジョブＡ〜ジョブＥの結果は「ＯＫ」になる。
【００９３】
次に、印刷順序決定部１１６は、ジョブＦ〜ジョブＫ（即ち、納期が３月１４日又は３月１５日の印刷ジョブ）に対して、図１１のＳ２０２〜Ｓ２１５の処理を実行する。ここで、印刷順序決定部１１６は、図１３−２（Ｃ）に示すように、３月１３日の８時〜８時１５分に画質調整の予定を追加する。また、８時１５分〜１３時４５分に高画質保証時間帯を設定する。そして、印刷順序決定部１１６は、高画質グループのジョブＧの印刷時間を割り当てる。
【００９４】
次に、高画質グループのジョブＨの順番であるが、ジョブＨの印刷時間は、３月１３日の高画質保証時間帯の空き時間に収まらないため、印刷順序決定部１１６は、３月１４日の８時〜８時１５分に画質調整の予定を追加する。また、８時１５分〜１３時４５分に高画質保証時間帯を設定する。そして、ジョブＨの印刷時間を割り当てる。次のジョブＩの印刷時間は、３月１３日の高画質保証時間帯の空き時間に収まるため、３月１３日に割り当てられる。次に、印刷順序決定部１１６は、低画質グループのジョブＦ、ジョブＪ、ジョブＫの印刷時間を割り当てる。そして、図１３−２（Ｄ）に示すように、ジョブＦ〜ジョブＫの結果は「ＯＫ」になる。
【００９５】
次に、印刷順序決定部１１６は、ジョブＬ〜ジョブＯ（即ち、納期が３月１６日又は３月１９日の印刷ジョブ）に対して、図１１のＳ２０２〜Ｓ２１５の処理を実行する。ここで、印刷順序決定部１１６は、図１３−３（Ｅ）に示すように、３月１５日の１３時〜１３時１５分に画質調整の予定を追加する。また、１３時１５分〜１８時に高画質保証時間帯を設定する。そして、印刷順序決定部１１６は、高画質グループのジョブＭの印刷時間を割り当てて、次に、低画質グループのジョブＬ、ジョブＮ、ジョブＯの印刷時間を割り当てる。そして、図１３−３（Ｆ）に示すように、ジョブＬ〜ジョブＯの結果は「ＯＫ」になる。
【００９６】
このようにして、本実施の形態では、画質を向上させる処理の予定が予め登録されていない場合であっても、印刷順序決定部１１６が画質を向上させる処理の予定を追加して、印刷ジョブの印刷順序を決定する。
なお、図１３−１〜図１３−３に示す例では、納期に応じて印刷ジョブをまとめて処理することとしたが、画質を向上させる処理の予定が予め登録されている場合であっても、同様の処理を行ってもよい。例えば、図８及び図９に示す例や、図１２−１〜図１２〜３に示す例の場合に、納期が３月１２日又は３月１３日の印刷ジョブ、納期が３月１４日又は３月１５日の印刷ジョブ、納期が３月１６日又は３月１９日の印刷ジョブに分類して、順次処理を行ってもよい。
【００９７】
以上説明したように、本実施の形態に係る印刷管理装置１００は、複数の印刷ジョブのそれぞれについて取得した要求画質レベルと、印刷装置２００の印刷特性とにより、印刷装置２００における複数の印刷ジョブの印刷順序を決定する。このように、本実施の形態では、印刷ジョブを処理して得られる印刷結果に対して要求される画質を考慮して、印刷ジョブの印刷順序が決定される。
【００９８】
また、本実施の形態において、印刷管理装置１００は、印刷装置２００に対して、印刷指示や画質調整の指示を行ってもよい。例えば、印刷管理装置１００は、印刷ジョブを印刷装置２００に送信する。また、印刷管理装置１００は、印刷順序決定部１１６が決定した印刷順序に従って、印刷装置２００に対して印刷ジョブの印刷指示を行う。例えば、２０１８年３月１３日の９時からジョブ１を印刷する予定であれば、印刷管理装置１００は、２０１８年３月１３日の９時にジョブ１の印刷指示を行う。この印刷指示により、印刷装置２００は、ジョブ１に基づく印刷処理を実行する。同様に、例えば、印刷管理装置１００は、印刷順序決定部１１６が決定した印刷順序に従って、印刷装置２００に対して画質調整の指示を行う。この画質調整の指示により、印刷装置２００は、画質調整の処理を実行する。
【００９９】
また、上述した例では、高画質保証時間帯を設定したが、高画質保証時間帯ではなく、例えば、印刷装置２００において高画質での印刷が保証される用紙の枚数（以下、高画質保証枚数と称する）を設定してもよい。この場合、印刷順序決定部１１６は、各印刷ジョブについて、印刷ジョブの印刷で出力される用紙の枚数（以下、印刷枚数と称する）の情報を取得する。そして、印刷順序決定部１１６は、高画質グループの印刷ジョブの印刷枚数を高画質保証枚数に割り当てて、印刷順序を決定する。
【０１００】
例えば、印刷装置２００の高画質保証枚数が１０００枚の場合を例に説明する。ここで、高画質グループの印刷ジョブとして、納期の早い順番に、ジョブＡ、ジョブＢ、ジョブＣがあり、それぞれの印刷枚数を５００枚、４００枚、２００枚とする。この場合、印刷順序決定部１１６は、画質を向上させる処理の後に印刷する印刷ジョブとして、ジョブＡの５００枚、ジョブＢの４００枚を高画質保証枚数に割り当てる。ジョブＣも割り当てると印刷枚数の合計が１１００枚となり、１０００枚を超えるため、ジョブＣは次回の高画質保証枚数に割り当てられる。また、印刷順序決定部１１６は、高画質グループの印刷ジョブを印刷する時間以外の印刷装置２００の稼動時間に対して、低画質グループの印刷ジョブを割り当てる。
【０１０１】
なお、高画質保証枚数は、例えば、操作者が指定したり、印刷管理装置１００に予め設定されたりする。また、高画質保証枚数は、画質調整や部品交換などの画質を向上させる処理と対応させて設定してもよい。付言すると、高画質保証枚数は、印刷装置２００の印刷性能に応じて変わるため、印刷装置２００の印刷性能に関する情報に含まれる。
【０１０２】
また、上述した例では、印刷順序決定部１１６は、印刷順序を決定する際に、印刷ジョブにおける印刷の納期、印刷時間を用いたが、納期、印刷時間を用いずに印刷順序を決定してもよい。例えば、画質調整の予定が存在する場合、印刷順序決定部１１６は、高画質グループの印刷ジョブが、低画質グループの印刷ジョブよりも画質調整の終了後に優先的に印刷されるように印刷順序を決定すればよく、印刷の納期や印刷時間を用いなくてもよい。
【０１０３】
また、本実施の形態では、印刷管理装置１００の処理を、１台の印刷管理装置１００で行うのではなく、他の装置と分担して行ってもよい。この場合、印刷管理装置１００及び他の装置は、印刷管理システムの一例として用いられる。また、印刷管理装置１００の処理を、印刷装置２００が行ってもよい。この場合、印刷装置２００は、印刷管理システム、印刷管理装置の一例として用いられる。
【０１０４】
また、本発明の実施の形態を実現するプログラムは、通信手段により提供することはもちろん、ＣＤ−ＲＯＭ等の記録媒体に格納して提供することも可能である。
【０１０５】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【０１０６】
１…印刷システム、１００…印刷管理装置、１１１…要求画質レベル取得部、１１２…印刷特性取得部、１１３…印刷装置決定部、１１４…納期取得部、１１５…印刷時間計算部、１１６…印刷順序決定部、１１７…表示制御部、１１８…操作受付部、１１９…検査工程追加部、２００…印刷装置
【図１】
2019215654.tif 000003
【図２】
2019215654.tif 000004
【図３】
2019215654.tif 000005
【図４】
2019215654.tif 000006
【図５】
2019215654.tif 000007
【図６】
2019215654.tif 000008
【図７】
2019215654.tif 000009
【図８】
2019215654.tif 000010
【図９】
2019215654.tif 000011
【図１０】
2019215654.tif 000012
【図１１】
2019215654.tif 000013
【図１２−１】
2019215654.tif 000014
【図１２−２】
2019215654.tif 000015
【図１２−３】
2019215654.tif 000016
【図１３−１】
2019215654.tif 000017
【図１３−２】
2019215654.tif 000018
【図１３−３】
2019215654.tif 000019